(57)【要約】      （修正有）【課題】  容器内の液体をこれと異なる容器に詰め替えをする際に、液体が零れる可能性が極めて低くくできる詰め替え用器具を提供。【解決手段】  全体がエラストマーにより構成されたチューブ形状のものであり、両端部分が中央部に比べて大きな拡大径部としてあると共に、一方の拡大径部には先端先細のテーパ状チューブ体が液密状態に接続され、他方の拡大径部は容器の注ぎ出し口部に液密状態に圧入されるようにしてある。【選択図】  図４
2007119055.tif 000002
【特許請求の範囲】
【請求項１】
全体がエラストマーにより構成されたチューブ形状のものであり、両端部分が中央部に比べて大きな拡大径部としてあると共に前記した両方の拡大径部が各容器の注ぎ出し口部に液密状態に圧入されるものとしてあることを特徴とする詰め替え用器具。
【請求項２】
全体がエラストマーにより構成されたチューブ形状のものであり、両端部分が中央部に比べて大きな拡大径部としてあると共に、一方の拡大径部には先端先細のテーパ状チューブ体が液密状態に接続され、他方の拡大径部は容器の注ぎ出し口部に液密状態に圧入されるようにしてあることを特徴とする詰め替え用器具。
【請求項３】
両端部に位置する拡大径部相互は、同径又は異径であることを特徴とする請求項１又は２記載の詰め替え用器具。
【請求項４】
詰め替え用液体を収容した容器の注ぎ出し口部に、薄いゴム材で構成された先端閉塞の袋状体を液密状態に融着して成り、前記袋状体の先端部分が切り取られることによりできた開封部分が他の容器の注ぎ出し口部に外挿されることを特徴とする詰め替え用器具を備えた容器。
【発明の詳細な説明】
【技術分野】  この発明は、容器内の液体をこれと異なる容器に詰め替えるための詰め替え用器具、及び詰め替え用器具を備えた容器に関するものである。
これらは、詰め替え用液体を収容した柔軟な袋状容器（簡易容器）から実際に使われる使用容器（硬質容器）への詰め替え、又は、大きな容器から小さな容器へ小分けするときに有効である。
【背景技術】  近年、シャンプー液を入れる容器は硬質樹脂により構成されており、キャップ部には手動ポンプが備えられたものとなっている。従来は、シャンプー液を使いきると、硬質容器及び手動ポンプを廃棄し、同様のものを新たに購入して使用していた。
ところで、近年、環境問題や資源の有効利用等の観点から、消費者は空になった硬質容器を捨ておかずに残しておき、簡易容器に入った詰め替え用シャンプー液などを購入して硬質容器に詰め替えるシステムに変わりつつある。
しかしながら、簡易容器は保形性に乏しいことから多くの場合、シャンプー液を硬質容器に詰め替える際に、シャンプー液をこぼしてしまうという問題があった。
上記問題は、一方の手で硬質容器が倒れないように支え、他方の手で保形性に乏しい簡易容器の開封口を硬質容器の開口部に位置させるようにしてシャンプー液を移し替なければならなかったからである。
上記問題を解決するものとしては、被詰め替え用容器体との連結構造を備えた詰め替えボトルがある（例えば、特許文献１。）。この構造を備えた詰め替え用ボトルは、図１３に示すように、被詰め替え用容器体の口部９内に挿入可能な口頚部８を起立すると共に、口頚部８外周下部に、容器体口部９内周に嵌合可能で且つ口部嵌合状態で排気路ａを形成する嵌合突部７を突設している。したがって、液の詰め替えに当たり、迅速に被詰め替え用の容器体内へ液の詰め替えを行えることができる。
しかしながら、上記連結構造では、口部９内に口頚部８を挿入する際に液が零れる可能性が高いと考えられる。
なお、上記した内容はシャンプー液を対象としたものであるが、簡易容器を使用する場合、液体の種類にかかわらず同様のことが言え、また、大きな容器から小さな容器へ小分けする場合にも同様のことが言える。
【特許文献１】特開２０００−３１３４２２号
【発明の開示】
【発明が解決しようとする課題】  そこで、この発明では、容器内の液体をこれと異なる容器に詰め替えをする際に、液体が零れる可能性が極めて低くくできる詰め替え用器具を提供することを課題とする。
また、この発明では、容器内の液体をこれと異なる容器に詰め替えをする際に、液体が零れる可能性が極めて低くくできる詰め替え用器具を備えた容器を提供することを課題とする。
【課題を解決するための手段】（請求項１記載の発明）
この発明の詰め替え用器具は、全体がエラストマーにより構成されたチューブ形状のものであり、両端部分が中央部に比べて大きな拡大径部としてあると共に前記した両方の拡大径部が各容器の注ぎ出し口部に液密状態に圧入されるものとしてある。
（請求項２記載の発明）
この発明の詰め替え用器具は、全体がエラストマーにより構成されたチューブ形状のものであり、両端部分が中央部に比べて大きな拡大径部としてあると共に、一方の拡大径部には先端先細のテーパ状チューブ体が液密状態に接続され、他方の拡大径部は容器の注ぎ出し口部に液密状態に圧入されるようにしてある。
（請求項３記載の発明）
この発明の詰め替え用器具は、上記請求項１又は２記載の発明に関し、両端部に位置する拡大径部相互は、同径又は異径であることを特徴とする請求項１又は２記載の詰め替え用器具。
（請求項４記載の発明）
この発明の詰め替え用器具を備えた容器は、詰め替え用液体を収容した容器の注ぎ出し口部に、薄いゴム材で構成された先端閉塞の袋状体を液密状態に融着して成り、前記袋状体の先端部分が切り取られることによりできた開封部分が他の容器の注ぎ出し口部に外挿されるものである。
【発明の効果】  この発明の詰め替え用器具によると、容器内の液体をこれと異なる容器に詰め替えをする際に、液体が零れる可能性が極めて低くくできる。
この発明の詰め替え用器具を備えた容器によると、容器内の液体をこれと異なる容器に詰め替えをする際に、液体が零れる可能性が極めて低くくできる。
【発明を実施するための最良の形態】  以下にこの発明の詰め替え用器具、及び詰め替え用器具を備えた容器を実施するための最良の形態としての実施例について詳細に説明する。
【実施例１】  図１はこの発明の実施例１の詰め替え用器具１の外観斜視図、図２は前記詰め替え用器具１の分解斜視図、図３は前記詰め替え用器具１を容器Ｙに取り付けた状態の外観斜視図、図４は前記詰め替え用器具１を容器Ｙに取り付けた状態の部分断面図、図５はテーパ状チューブ体４を簡易容器ｙの注ぎ出し口部ｍに圧入した状態の斜視図を示している。
（この詰め替え用器具１の構成について）
この詰め替え用器具１は、図１や図３に示すように、全体がエラストマー（常温で弾性を有するゴム又は樹脂）により構成されたチューブ体２と、前記チューブ体２に接続される硬質樹脂製のテーパチューブ体３とから構成されている。
チューブ体２は、図１や図２に示すように、中央部の細径部２０と、両端部の拡大径部２１，２２とから構成されており、容器Ｙの注ぎ出し口部ｍの径が多少相違するものでも液漏れすることなく圧入接続できるようにすべく、優れた弾性を有する材料（例えば、各種ゴム等）で且つ構成壁の厚みを０．２〜１．０ｍｍ（好ましくは０．０５〜１．０ｍｍ）程度に設定してある。ここで、上記拡大径部２２は、その内径を注ぎ出し口部ｍの雄ネジ部を含めた直径よりも少し小径に設定してあり、また、拡大径部２１は、図３や図４に示すようにその内径をテーパチューブ体３の最大径部（後述する鍔部３０，３１）の直径よりも少し小径に設定してある（図４参照）。また、この実施例では、細径部２０の直径：拡大径部２１，２２の直径の比率を、１：２程度に設定してある。
なお、拡大径部２１，２２相互は同径であっても異径であってもよい。このことは、以下の実施例においても同様である。
テーパ状チューブ体３はポリプロピレン、ナイロン等の比較的硬質の合成樹脂により構成されており、図２や図４に示すように、拡大径部２１に圧入される部分には当該拡大径部２１の内径よりも少し大径の二本の鍔部３０，３１を設けてある。ここで、このテーパ状チューブ体３のテーパ角度は、１０〜２０°に設定してある。
（この詰め替え用器具１の使用態様について）
この詰め替え用器具１を使用して、詰め替え用液体（シャンプー液）を収容した柔軟な袋状容器ｙから実際に使われる使用容器Ｙ（シャンプーのポンプ付き容器）への詰め替えを行う場合は以下のようにすればよい。
（１）テーパ状チューブ体３の二本の鍔部３０，３１が形成された部分を、拡大径部２１内に押し込む。ここで、上述した如く、拡大径部２１は、その内径をテーパチューブ体３の鍔部３０，３１の直径よりも少し小径に設定してあり、チューブ体２全体が優れた弾性を有する材料で且つ構成壁の厚みを上記程度に設定してあるから、拡大径部２１の内周面と二本の鍔部３０，３１との間は液密状態となっている（図４参照）。したがって、拡大径部２１の内周面と二本の鍔部３０，３１との間からシャンプー液が漏れるようなことはない。
（２）拡大径部２２に使用容器Ｙの注ぎ出し口部ｍを圧入する。ここで、上述した如く、拡大径部２２は、その内径を注ぎ出し口部ｍの雄ネジ部を含めた直径よりも少し小径に設定してあり、チューブ体２全体が優れた弾性を有する材料で且つ構成壁の厚みを上記程度に設定してあるから、拡大径部２２の内周面と使用容器Ｙの注ぎ出し口部ｍとの間は液密状態となっている（図４参照）。したがって、拡大径部２２の内周面と使用容器Ｙの注ぎ出し口部ｍとの間からシャンプー液が漏れるようなことはない。
（３）図５に示すように、テーパ状チューブ体３の先端側部分を袋状容器ｙの開封口ｋ内に強く押し込む。このテーパ状チューブ体３のテーパ角度は、上記程度に設定してあることから、前記押込み力により、テーパ状チューブ体３の外周面と開封口ｋの構成面との間には間隙がなくなってしっかりと密着した状態となっている。
（４）前記（３）の密着状態を維持しながら、袋状容器ｙを上に、使用容器Ｙを下に位置させる。すると、テーパ状チューブ体３の先端開口部を介して、シャンプー液は袋状容器ｙから使用容器Ｙに流れ落ち、シャンプー液の詰め替え作業は完了する。なお、テーパ状チューブ体３の外周面と開封口ｋの構成面との間には間隙がなくなってしっかりと密着した状態となっているので、シャンプー液は漏れ落ちるようなことはない。
（５）なお、上記詰め替え用器具１を使用すると、大きな容器から小さな容器へ小分けできることは明らかである。
【実施例２】  図６はこの発明の実施例２の詰め替え用器具１により二つの容器Ｙ１，Ｙ２相互間に取り付けた状態の正面図、図７は前記詰め替え用器具１により二つの容器Ｙ１，Ｙ３相互間に取り付けた状態の正面図を示している。
この詰め替え用器具１は、実施例１に示されたチューブ体２のみで構成されており、図６や図７に示すように、チューブ体２の拡大径部２１，２２のうちの、一方を容器Ｙ１の注ぎ出し口部ｍに対して外周液密状態に、他方を容器Ｙ２（又は容器Ｙ３）の注ぎ出し口部ｍに外周液密状態に、圧入接続したものである。なお、図６に示したものでは、容器Ｙ１，Ｙ２は同じ形態の硬質容器としているが、図７に示したものでは、容器Ｙ１は硬質容器であり、容器Ｙ３は簡易容器である。図７の容器Ｙ３の注ぎ出し口部ｍは袋体からパイプ状のものを突出させて成るものであり、このパイプ状部分に拡大径部２２を外周気密状態に圧入接続する。
【実施例３】  図８はこの発明の実施例３の詰め替え用器具１の外観斜視図、前記詰め替え用器具１の断面図、図１０は前記詰め替え用器具１を折り畳んだ状態の断面図、図１１は前記詰め替え用器具１を畳んだ状態の外観図を示している。
この詰め替え用器具１は、実施例１に示されたチューブ体２のみで構成されており、使用態様は実施例１や実施例２と同じである。
このチューブ体２は、図８や図９に示すように、中央部の細径部２０と、両端部の拡大径部２１，２２とから構成されているが、この実施例のものでは拡大径部２２の内径が拡大径部２１の外径よりも大きくしてあると共に、細径部２０が折り畳み可能な蛇腹状になっている。
したがって、この詰め替え用器具１では、細径部２０を折り畳み、その後図１０に示すように、拡大径部２１を包囲すべく拡大径部２２を折り返す（同図の矢印で示す）と、折り畳まれた細径部２０及び拡大径部２１の大部分が拡大径部２２により包皮されることとなり、全体として非常にコンパクトになる。
【実施例４】  図１２はこの発明の実施例の詰め替え用器具を備えた容器の正面図を示している。
この詰め替え用器具を備えた容器Ｙ４は、図１２に示すように、簡易容器の注ぎ出し口部ｍに、薄いゴム材で構成された先端閉塞の袋状体２’を外周気密状態に融着（融着部を符号２８で示す）して成るものであり、前記袋状体２’の先端部分に開封用の切込み２９を設けている。
この容器Ｙ４では、切込み２９を利用して開封した後、その開封部分を広げて他の容器の注ぎ出し口部に外挿すれば、上記実施例１と同等の効果を奏する。
【図面の簡単な説明】
【図１】  この発明の実施例１の詰め替え用器具の外観斜視図。
【図２】  前記詰め替え用器具の分解斜視図。
【図３】  前記詰め替え用器具を容器に取り付けた状態の外観斜視図。
【図４】  前記詰め替え用器具を容器に取り付けた状態の部分断面図。
【図５】  テーパ状チューブ体を簡易容器の排出口に圧入した状態の斜視図。
【図６】  この発明の実施例２の詰め替え用器具により二つの容器相互間に取り付けた状態の正面図。
【図７】  前記詰め替え用器具により二つの容器相互間に取り付けた状態の正面図。
【図８】  この発明の実施例３の詰め替え用器具の外観斜視図。
【図９】  前記詰め替え用器具の断面図。
【図１０】  前記詰め替え用器具を畳んだ状態の断面図。
【図１１】  前記詰め替え用器具を畳んだ状態の外観図。
【図１２】  この発明の実施例の詰め替え用器具を備えた容器の正面図。
【図１３】  従来の容器の断面図。
【符号の説明】
Ｙ    容器
１    詰め替え用器具
２    チューブ体
２０  細径部
２１  拡大径部
２２  拡大径部
３    テーパチューブ体
３０  鍔部
３１  鍔部
【図１】
2007119055.tif 000003
【図２】
2007119055.tif 000004
【図３】
2007119055.tif 000005
【図４】
2007119055.tif 000006
【図５】
2007119055.tif 000007
【図６】
2007119055.tif 000008
【図７】
2007119055.tif 000009
【図８】
2007119055.tif 000010
【図９】
2007119055.tif 000011
【図１０】
2007119055.tif 000012
【図１１】
2007119055.tif 000013
【図１２】
2007119055.tif 000014
【図１３】
2007119055.tif 000015